(57)【要約】【課題】光源から発生する光の量を測定して、光量が予め設定した光量範囲から逸脱した場合、所定の信号を出力することが可能なディスク装置を提供する。【解決手段】光量測定手段は、駆動電流Ｉ１、Ｉ２に対応付けて、夫々光源が発生した光の量Ｐ１、Ｐ２を測定する。光量測定手段により測定された光量Ｐ１、Ｐ２は、夫々駆動電流−光量特性に基づいて予め設定した光量範囲ＰＬ１〜ＰＨ１、ＰＬ２〜ＰＨ２を逸脱しているか否か判定される。光量Ｐ１、Ｐ２が夫々光量範囲ＰＬ１〜ＰＨ１、ＰＬ２〜ＰＨ２を逸脱していると判定された場合、所定の信号を出力する。【選択図】図３
2011103163.tif 000002
【特許請求の範囲】
【請求項１】
駆動電流の供給により光を発生する光源
を備え、
該光源が発生する光をディスクに照射して、情報の記録又は再生を行うディスク装置において、
所定の駆動電流値に対応付けて、前記光源が発生する光の量を測定する光量測定手段と、
該光量測定手段により測定された光量が、所定の光量範囲を逸脱しているか否か判定する光量判定手段と、
該光量判定手段により光量が前記光量範囲を逸脱していると判定された場合、所定の信号を出力する手段と
を備える
ことを特徴とするディスク装置。
【請求項２】
前記駆動電流値及び前記光量測定手段により測定された光量から、駆動電流値の変化に対する光量の変化の比を算出する比算出手段
を備え、
該比算出手段により算出された比が、所定の比範囲を逸脱しているか否か判定する比判定手段と、
該比判定手段により比が前記比範囲を逸脱していると判定された場合、所定の信号を出力する手段と
を備える
ことを特徴とする請求項１に記載のディスク装置。
【請求項３】
コンテンツデータを受け付けるデータ受付手段と、
該データ受付手段が受け付けたコンテンツデータを記録する記録手段と
を備え、
該記録手段は、
前記光量判定手段により光量が前記光量範囲を逸脱していると判定された場合、又は前記比判定手段により比が前記比範囲を逸脱していると判定された場合、コンテンツデータを記録するようにしてある
ことを特徴とする請求項２に記載のディスク装置。
【請求項４】
前記比算出手段により算出された比が、前記比範囲の下限値及び該比範囲内の所定値の間にある場合、第二の信号を出力する手段
を備える
ことを特徴とする請求項２又は請求項３に記載のディスク装置。
【請求項５】
前記光量測定手段により測定された光量が、前記光量範囲の下限値及び該光量範囲内の所定値の間にある場合、第二の信号を出力する手段
を備える
ことを特徴とする請求項１から請求項４までのいずれか一項に記載のディスク装置。
【請求項６】
前記光源は、複数の波長域の光を発生可能にしてあり、
前記光量測定手段は、一つの波長域の光の量を測定するようにしてある
ことを特徴とする請求項１から請求項５までのいずれか一項に記載のディスク装置。
【発明の詳細な説明】
【技術分野】
【０００１】
本発明は、光源の異常を検出する手段を備えたディスク装置に関する。
【背景技術】
【０００２】
ディスク装置の動作が異常状態になった場合、その旨をユーザに知らせる必要がある。そのため、ディスク装置の動作が異常であるか否か検出する手法が種々知られている。特許文献１には、シークモータの駆動電流が予め設定された基準値を超えた場合、異常信号を発生するディスク装置の異常検出装置が開示されている。
【先行技術文献】
【特許文献】
【０００３】
【特許文献１】特開平３−３１７４号公報
【発明の概要】
【発明が解決しようとする課題】
【０００４】
しかしながら、特許文献１のディスク装置の異常検出装置は、シークモータの駆動電流に基づく異常を検出するものであって、光源の異常を検出するものではない。光源の劣化、損傷等は、遅かれ早かれほとんどの光源に生じるため、光源から発生する光の量を測定して、光源の劣化、破損等による致命的な異常がある旨をユーザに知らせるディスク装置は、極めて有用である。
【０００５】
本発明は斯かる事情に鑑みてなされたものであり、本発明の目的は、光源から発生する光の量を測定して、光量が予め設定した光量範囲から逸脱した場合、所定の信号を出力することが可能なディスク装置を提供することである。
【課題を解決するための手段】
【０００６】
本発明に係るディスク装置は、駆動電流の供給により光を発生する光源を備え、該光源が発生する光をディスクに照射して、情報の記録又は再生を行うディスク装置において、所定の駆動電流値に対応付けて、前記光源が発生する光の量を測定する光量測定手段と、該光量測定手段により測定された光量が、所定の光量範囲を逸脱しているか否か判定する光量判定手段と、該光量判定手段により光量が前記光量範囲を逸脱していると判定された場合、所定の信号を出力する手段とを備えることを特徴とする。
【０００７】
本発明に係るディスク装置は、前記駆動電流値及び前記光量測定手段により測定された光量から、駆動電流値の変化に対する光量の変化の比を算出する比算出手段を備え、該比算出手段により算出された比が、所定の比範囲を逸脱しているか否か判定する比判定手段と、該比判定手段により比が前記比範囲を逸脱していると判定された場合、所定の信号を出力する手段とを備えることを特徴とする。
【０００８】
本発明に係るディスク装置は、コンテンツデータを受け付けるデータ受付手段と、該データ受付手段が受け付けたコンテンツデータを記録する記録手段とを備え、該記録手段は、前記光量判定手段により光量が前記光量範囲を逸脱していると判定された場合、又は前記比判定手段により比が前記比範囲を逸脱していると判定された場合、コンテンツデータを記録するようにしてあることを特徴とする。
【０００９】
本発明に係るディスク装置は、前記比算出手段により算出された比が、前記比範囲の下限値及び該比範囲内の所定値の間にある場合、第二の信号を出力する手段を備えることを特徴とする。
【００１０】
本発明に係るディスク装置は、前記光量測定手段により測定された光量が、前記光量範囲の下限値及び該光量範囲内の所定値の間にある場合、第二の信号を出力する手段を備えることを特徴とする。
【００１１】
本発明に係るディスク装置は、前記光源は、複数の波長域の光を発生可能にしてあり、前記光量測定手段は、一つの波長域の光の量を測定するようにしてあることを特徴とする。
【００１２】
本発明のディスク装置にあっては、駆動電流の供給により光を発生する光源を備えている。光量測定手段は、所定の駆動電流値に対応付けて、光源が発生する光の量を測定する。光量判定手段は、光量測定手段により測定された光量が所定の光量範囲を逸脱しているか否か判定する。光量判定手段が、光量測定手段により測定された光量は所定の光量範囲を逸脱していると判定した場合、所定の信号が出力される。
【００１３】
本発明のディスク装置にあっては、所定の駆動電流値及び光量測定手段により測定された光量から、駆動電流値の変化に対する光量の変化の比を算出する比算出手段を備えている。比判定手段は、比算出手段により算出された比が所定の比範囲を逸脱しているか否か判定する。比判定手段が、比算出手段により算出された比は所定の比範囲を逸脱していると判定した場合、所定の信号が出力される。
【００１４】
本発明のディスク装置にあっては、コンテンツデータを受け付け、受け付けたコンテンツデータを記録する記録手段を備えている。光量測定手段により測定された光量が所定の光量範囲を逸脱していると判定された場合、又は比算出手段により算出された比が所定の比範囲を逸脱していると判定された場合、記録手段は受け付けたコンテンツデータを記録する。
【００１５】
本発明のディスク装置にあっては、比算出手段により算出された比が所定の比範囲の下限値及びこの比範囲内の所定値の間にある場合、第二の信号が出力される。
【００１６】
本発明のディスク装置にあっては、光量測定手段により測定された光量が所定の光量範囲の下限値及びこの光量範囲内の所定値の間にある場合、第二の信号が出力される。
【００１７】
本発明のディスク装置にあっては、光源は複数の波長域の光を発生することができる。光量測定手段により、一つの波長域の光の量が測定される。
【発明の効果】
【００１８】
本発明によれば、光源から発生する光の量を測定して、光量が予め設定した光量範囲から逸脱した場合、所定の信号を出力することができる。
【図面の簡単な説明】
【００１９】
【図１】実施の形態１に係るディスク装置の構成を示すブロック図である。
【図２】実施の形態１に係るディスク装置の構成を模式的に示す説明図である。
【図３】半導体レーザの劣化に伴う駆動電流−光量特性の変化を示す説明図である。
【図４】実施の形態１において制御部が実行する処理の手順を示すフローチャートである。
【図５】実施の形態１において制御部が実行する処理の手順を示すフローチャートである。
【図６】光量測定前の初期処理の手順を示すフローチャートである。
【図７】実施の形態２に係る半導体レーザの異常検出を示す説明図である。
【図８】実施の形態２において制御部が実行する処理の手順を示すフローチャートである。
【図９】実施の形態３に係る半導体レーザの異常検出を示す説明図である。
【図１０】実施の形態３に係る半導体レーザの異常検出の他例を示す説明図である。
【図１１】実施の形態３において制御部が実行する処理の手順を示すフローチャートである。
【図１２】実施の形態４に係る光ピックアップの光学系の構成例を示す説明図である。
【発明を実施するための形態】
【００２０】
以下、本発明をその実施の形態に係る図面に基づいて説明する。
実施の形態１
実施の形態１は、駆動電流に対応する半導体レーザの光量が、予め定めた正常な光量の範囲から逸脱している場合、ユーザにサービスステーションに連絡する必要がある旨のエラーメッセージを表示する形態に関する。
【００２１】
図１は、実施の形態１に係るディスク装置１の構成を示すブロック図である。図２は、実施の形態１に係るディスク装置１の構成を模式的に示す説明図である。ディスク装置１は、レコーダ、プレーヤ等のコンテンツ記録再生装置に内蔵されている。このコンテンツ記録再生装置はテレビと接続されている。また、ディスク装置１は、テレビに内蔵されていてもよい。
ディスク装置１は、制御部２、通信部３、光ピックアップ４、駆動モータ５、ディスク回転部６及び放送記録部７を含んで構成される。
【００２２】
制御部２は、ＣＰＵ（Central Processing Unit）、ＲＯＭ（Read Only Memory）、ＲＡＭ（Random Access Memory）等を備えたマイクロコンピュータからなり、ディスク装置１の各構成部を制御する。ＲＯＭは、制御部２が実行するプログラム及びプログラムで使用するデータを記録している。ＲＡＭは、制御部２が実行するプログラムのための作業変数を記録する。
【００２３】
通信部３は、ディスクＤに記録する情報の記録信号、ディスクＤから読み取った情報の再生信号、放送記録部７に記録されるテレビ放送データ等を、ディスク装置１が内蔵されたコンテンツ記録再生装置との間で入出力する。また、通信部３は、制御部２が半導体レーザ４２に異常があると判断した場合、エラー信号をディスク装置１が内蔵されたコンテンツ記録再生装置に出力する。さらに、通信部３は、ディスク装置１が内蔵されたコンテンツ記録再生装置がインターネットと接続されている場合、インターネット経由の映像データを受け付けることができる。
【００２４】
光ピックアップ４は、ディスクＤにレーザ光を照射し、ディスクＤに情報を記録する。あるいは、光ピックアップ４は、ディスクＤからの反射光を受光して、ディスクＤに記録されている情報を再生する。
光ピックアップ４は、レーザ駆動回路４１、半導体レーザ４２、受光部４３及び対物レンズＯを含んで構成される。
【００２５】
レーザ駆動回路４１は、制御部２からの指示により半導体レーザ４２に供給する駆動電流を制御し、半導体レーザ４２にレーザ光を発生させる。レーザ駆動回路４１は、記録時に、通信部３が受け付けた記録信号に応じた駆動電流を半導体レーザ４２に供給する。レーザ駆動回路４１は、再生時には、半導体レーザ４２に一定光量のレーザ光を発生させる。
レーザ駆動回路４１は、駆動電流の検出も行い、検出結果を制御部２へ出力する。
【００２６】
半導体レーザ４２から照射されたレーザ光は、対物レンズＯによりディスクＤの記録面に集光される。ディスクＤで反射された反射光は、受光部４３に入射する。
受光部４３は、フォトダイオードにより構成され、ディスクＤで反射された反射光を電気信号に光電変換し、通信部３へ出力する。また、受光部４３は、半導体レーザ４２から照射されたレーザ光の一部を入射し、その光量の測定も行う。この光量の測定は、反射光の光量ではなく、半導体レーザ４２から照射されたレーザ光の光量を直接測定する。受光部４３は、光量の測定結果を制御部２へ出力する。
【００２７】
駆動モータ５は、光ピックアップ４を案内レールＲに沿ってディスクＤの径方向に移動させる。
ディスク回転部６は、ディスクＤを挟持するクランパ、ターンテーブル、ディスクＤを回転させるスピンドルモータ等を含んで構成される。
【００２８】
放送記録部７は、フラッシュメモリ等の不揮発性メモリである。制御部２は、ディスク装置１が内蔵されたコンテンツ記録再生装置に備えられたテレビチューナから放送記録部７に、テレビ放送データを記録する。あるいは、制御部２は、ディスク装置１が内蔵されたコンテンツ記録再生装置に接続されたテレビのテレビチューナから放送記録部７に、テレビ放送データを記録する。
【００２９】
次に、実施の形態１に係るディスク装置の動作について説明する。
図３は、半導体レーザ４２の劣化に伴う駆動電流−光量特性の変化を示す説明図である。Ｉthは、半導体レーザ４２がレーザ発振を起こす閾値電流である。半導体レーザ４２の光量は閾値電流を境として急激に増大し、図３の駆動電流−光量特性（電流−光出力特性又はＩ−Ｐ特性）は、Ｉthで折れ曲がった折れ線状になる。図３では、半導体レーザ４２が正常な場合を実線で、半導体レーザ４２が異常な場合を一点鎖線で示している。半導体レーザ４２が劣化した場合、又は半導体レーザ４２の寿命が近づいている場合、半導体レーザ４２の駆動電流−光量特性は変化する。そのため、半導体レーザ４２に供給される駆動電流は同一であっても、半導体レーザ４２から照射されるレーザ光の光量は低下する。
また、駆動電流−光量特性から予想される光量よりも遙かに大きな光量が得られる場合も、半導体レーザ４２は異常状態にある。
【００３０】
まず、準備として、閾値電流より大きい駆動電流Ｉ１、Ｉ２を決めておく。また、駆動電流Ｉ１、Ｉ２で半導体レーザ４２を駆動した場合、測定される光量Ｐ１、Ｐ２が正常とされる範囲を夫々上下限値によりＰＬ１〜ＰＨ１、ＰＬ２〜ＰＨ２として決めておく。これらＩ１、Ｉ２、ＰＬ１〜ＰＨ１、ＰＬ２〜ＰＨ２は、予め制御部２のＲＯＭに記録しておく。
【００３１】
ディスク装置１の電源がオンされた場合、制御部２は受光部４３に光量Ｐ１、Ｐ２を測定させ、光量Ｐ１がＰＬ１〜ＰＨ１の範囲にあり、かつ光量Ｐ２がＰＬ２〜ＰＨ２の範囲にある場合、半導体レーザ４２は正常であり、それ以外の場合、半導体レーザ４２は異常であると判断する。制御部２は、半導体レーザ４２が正常であると判断した場合、ディスク装置１を立ち上げる通常動作を行う。一方、制御部２は、半導体レーザ４２が異常であると判断した場合、ディスク装置１を立ち上げる通常動作に移行せず、通信部３を介して、サービスステーションに連絡する必要がある旨のエラーメッセージを表示するためのエラー信号をディスク装置１が内蔵されたコンテンツ記録再生装置に出力する。
【００３２】
ディスク装置１を内蔵するコンテンツ記録再生装置が表示部を有する場合、エラー信号を受け付けた当該コンテンツ記録再生装置は、表示部にディスク装置１の修理、交換等を行うサービスステーションに連絡する必要がある旨のエラーメッセージを表示する。あるいは、エラー信号を受け付けた当該コンテンツ記録再生装置がスピーカを有する場合、スピーカからエラーメッセージの音声を出力してもよい。
ディスク装置１を内蔵するコンテンツ記録再生装置が表示部を有しない場合、エラーメッセージは当該コンテンツ記録再生装置が接続されたテレビの表示部に表示してもよい。
【００３３】
また、制御部２は、半導体レーザ４２が異常であると判断した場合、ユーザが希望するとき、テレビ放送データを放送記録部７に記録する。そこで、制御部２は、半導体レーザ４２が異常であると判断した場合、通信部３を介して、テレビ放送データを放送記録部７に記録するか否か選択をするための画面情報を、ディスク装置１が内蔵されたコンテンツ記録再生装置に出力する。ディスク装置１が内蔵されたコンテンツ記録再生装置の表示部又は当該コンテンツ記録再生装置が接続されているテレビの表示部に、テレビ放送データを放送記録部７に記録するか否か選択可能な画面が表示される。ユーザが、コンテンツ記録再生装置の操作部又はリモートコントローラ等により、テレビ放送データを放送記録部７に記録することを選択した場合、その情報は通信部３を介して、制御部２に出力される。テレビ放送データを放送記録部７に記録することをユーザが選択したことの情報を受け付けた制御部２は、以後テレビ放送データをディスクＤではなく、放送記録部７に記録するように設定する。
【００３４】
次に、実施の形態１において制御部２が実行する処理を説明する。図４及び図５は、実施の形態１において制御部２が実行する処理の手順を示すフローチャートである。
制御部２は、初期処理を実行する（ステップＳ４０１）。この初期処理については、後述する。制御部２は、駆動電流Ｉ１で半導体レーザ４２を駆動する（ステップＳ４０２）。制御部２は、駆動電流Ｉ１における光量Ｐ１を測定し、測定した光量Ｐ１をＲＡＭに記録する（ステップＳ４０３）。制御部２は、駆動電流Ｉ２で半導体レーザ４２を駆動する（ステップＳ４０４）。制御部２は、駆動電流Ｉ２における光量Ｐ２を測定し、測定した光量Ｐ２をＲＡＭに記録する（ステップＳ４０５）。
【００３５】
制御部２は、ＲＡＭから光量Ｐ１、Ｐ２を、ＲＯＭからＰＬ１〜ＰＨ１、ＰＬ２〜ＰＨ２を読み出し、ＰＬ１＜Ｐ１＜ＰＨ１かつＰＬ２＜Ｐ２＜ＰＨ２か否か判断する（ステップＳ４０６）。制御部２は、ＰＬ１＜Ｐ１＜ＰＨ１かつＰＬ２＜Ｐ２＜ＰＨ２であると判断した場合（ステップＳ４０６：ＹＥＳ）、ディスク装置１を立ち上げる通常動作を行い（ステップＳ４０７）、処理を終える。制御部２は、ＰＬ１＜Ｐ１＜ＰＨ１かつＰＬ２＜Ｐ２＜ＰＨ２でないと判断した場合（ステップＳ４０６：ＮＯ）、ディスク装置１を立ち上げる通常動作を行わずに、エラーメッセージを表示するためのエラー信号をディスク装置１が内蔵されたコンテンツ記録再生装置に出力する（ステップＳ４０８）。
ディスク装置１からエラー信号を受け付けたコンテンツ記録再生装置は、その表示部にサービスステーションに連絡する必要がある旨のエラーメッセージを表示する。
【００３６】
制御部２は、テレビ放送データを放送記録部７に記録するか否か選択可能な画面情報を、ディスク装置１が内蔵されたコンテンツ記録再生装置に出力する（ステップＳ４０９）。制御部２は、ディスク装置１が内蔵されたコンテンツ記録再生装置から、テレビ放送データを放送記録部７に記録することをユーザが選択したことの情報を受け付けたか否か判断する（ステップＳ４１０）。制御部２は、テレビ放送データを放送記録部７に記録することをユーザが選択したことの情報を受け付けた場合（ステップＳ４１０：ＹＥＳ）、テレビ放送データを放送記録部７に記録する旨のフラグを、放送記録部７に記録し（ステップＳ４１１）、処理を終える。制御部２は、テレビ放送データを放送記録部７に記録することをユーザが選択したことの情報を受け付けない場合（ステップＳ４１０：ＮＯ）、何もせず処理を終える。
以後、制御部２は、放送記録部７にフラグが記録されているか否か判断して、テレビ放送データを放送記録部７に記録するか否かの処理を切り分ける。
【００３７】
図６は、光量測定前の初期処理の手順を示すフローチャートである。
ディスク装置内部にディスクＤが装着されている場合、そのまま光量Ｐ１、Ｐ２を測定するとき、レーザ光がディスクＤの記録面に記録されている情報を消去してしまうおそれがある。そこで、制御部２は光量の測定を開始する前に、次の初期処理を実行する。
【００３８】
制御部２は、ディスク装置１の電源がオンされた場合、ディスクＤがディスク装置１に装着されているか否か判断する（ステップＳ６１）。制御部２は、ディスクＤがディスク装置１に装着されていないと判断した場合（ステップＳ６１：ＮＯ）、処理を終える。制御部２は、ディスクＤがディスク装置１に装着されていると判断した場合（ステップＳ６１：ＹＥＳ）、駆動モータ５を制御して光ピックアップ４を移動することにより、レーザ光の照射位置をディスクＤの外へ移動する（ステップＳ６２）。制御部２は、レーザ光の照射位置がディスクＤの外にあるか否か判断する（ステップＳ６３）。制御部２は、レーザ光の照射位置がディスクＤの外にないと判断した場合（ステップＳ６３：ＮＯ）、ステップＳ６２へ処理を戻す。制御部２は、レーザ光の照射位置がディスクＤの外にあると判断した場合（ステップＳ６３：ＹＥＳ）、処理を終える。
上記の初期処理の実行により、光量Ｐ１、Ｐ２を測定する場合、レーザ光がディスクＤの記録面に記録されている情報を消去してしまうおそれを回避することができる。
なお、上記の初期処理を実行する代わりに、レーザ光のフォーカスをぼかす処理を実行してもよい。
【００３９】
実施の形態１に係るディスク装置１によれば、予め決めた駆動電流に対応する光量を測定し、その値が予め正常と設定した光量の範囲から逸脱しているか否か判断することにより、半導体レーザ４２の致命的な劣化又は破損の有無がわかる。
「録画できません」、「再生できません」等、ディスク装置１が異常である旨の表示を受けても、ユーザとしてはその表示がディスク装置１の修理、交換等を行うサービスステーションに連絡する必要がある異常なのか、それとも必要のない異常なのかわからない。
しかし、駆動電流−光量特性から劣化又は破損を被っていると判断できる半導体レーザ４２は異常状態にあるため、サービスステーションに連絡する旨をユーザに表示することにより、ユーザはディスク装置１の修理、交換等の次の対応を取ることができ、安心感を得ることができる。
【００４０】
実施の形態１に係るディスク装置１によれば、半導体レーザ４２に致命的な劣化又は破損が見つかった場合、エラーメッセージの表示の他に、テレビ放送データを放送記録部７に記録することができる。そのため、ディスク装置１の交換等までの間、録画したいテレビ番組が放送されても録画できないという不利益は生じない。
【００４１】
実施の形態１に係るディスク装置では、テレビ放送データを放送記録部に記録した。しかし、放送記録部が記録するデータは、テレビ放送データに限らず、インターネット経由で受け付け可能な映像データ、外部の再生装置が再生した映像データ等、一般的なコンテンツデータであってもよい。例えば、半導体レーザに致命的な劣化又は破損が見つかった場合、ディスク装置はディスクのダビングができなくなるが、外部のディスク装置が再生したディスクの再生データを、通信部を介して受け付け、受け付けた再生データをいったん放送記録部に記録してもよい。これにより、後に放送記録部から再生データを読み出し、読み出したデータを正常なディスク装置を用いてディスクに記録することができる。
【００４２】
実施の形態１に係るディスク装置では、半導体レーザの駆動電流−光量特性を測定するために、Ｐ１及びＰ２の２つの光量を測定した。しかし、光量の測定数は２つに限られるものではなく、１つ又は３つ以上であってもよい。例えば、光量Ｐ２だけを測定し、ＰＬ２＜Ｐ２＜ＰＨ２を満たす場合、半導体レーザは異常であると判断する。
光量の測定数が多いほど、半導体レーザの劣化等の判断結果の信頼性は向上するが、その分測定時間が長くなり、ディスク装置の操作性が悪くなる。そのため、光量測定は２つ程度が好適である。
【００４３】
ディスク装置の操作性を悪くしないために、ディスク装置の電源がオンされたとき、毎回光量測定を行うのではなく、ディスク装置が駆動される所定回数毎に光量測定を行う、又は所定期間毎に光量測定を行う形態であってもよい。そのためには、ディスク装置の駆動回数又は駆動時間を記録する記録手段を備えればよい。
ディスク装置が製造されてから日が短い場合、半導体レーザの劣化は進行していない。そのため、ディスク装置が製造されてから所定期間経過するまで光量測定を行わず、半導体レーザの劣化が生じると予想される時期に近づいてきたとき、毎回光量測定を行うように切り替える実施形態であってもよい。そのためには、半導体レーザの劣化が生じると予想される期間を従来の半導体レーザの寿命予測方法から求め、ＲＯＭ等に記録しておけばよい。あるいは、半導体レーザの劣化は温度と強い相関があるため、半導体レーザの温度を測定する手段を設け、ディスク装置が駆動される毎に予め設定した半導体レーザの寿命を測定した温度で補正する実施形態であってもよい。
半導体レーザの寿命を考慮して光量測定の頻度を変化させることにより、必要以上に光量測定をすることがなくなり、ディスク装置の操作性を向上させることができる。
【００４４】
半導体レーザは、瞬間的にレーザ発振不能に至る破局的故障を起こす場合がある。このような突然劣化に備えるためには、ディスク装置が駆動されるたびに毎回、光量測定を行うことが望ましい。しかし、一方でその分測定に時間がかかる。そこで、上記に挙げた様々な光量測定のパターンをユーザが設定できる形態であってもよい。そのためには、制御部のＲＯＭ等に光量測定のパターンを選択できる画面情報を記録しておき、ディスク装置が内蔵されたコンテンツ記録再生装置の表示部にその画面を表示する。その画面を通してユーザは光量測定のパターンを選択する。制御部はユーザが選択したパターンの光量測定を受け付け、実行する。
これにより、ユーザは光量測定をカスタマイズすることができ、ディスク装置の操作性が向上する。
【００４５】
実施の形態１に係るディスク装置では、ＰＬ１＜Ｐ１＜ＰＨ１かつＰＬ２＜Ｐ２＜ＰＨ２を半導体レーザの異常判定条件とした。すなわち、駆動電流が小さい場合及び大きい場合の両者において、測定される光量が予め正常と設定した光量の範囲を逸脱したときに、半導体レーザは異常であると判断した。しかし、ＰＬ１＜Ｐ１＜ＰＨ１又はＰＬ２＜Ｐ２＜ＰＨ２を半導体レーザの異常判定条件としてもよい。すなわち、測定された光量の一つでも正常と設定した範囲を逸脱した場合、半導体レーザは異常であると判断する。
【００４６】
実施の形態２
実施の形態２は、半導体レーザ４２に係る駆動電流値の変化に対する光量の変化の比が、予め定めた正常な範囲から逸脱している場合、ユーザにサービスステーションに連絡する必要がある旨のエラーメッセージを表示する形態に関する。駆動電流値の変化に対する光量の変化の比は、図３の駆動電流−光量特性における直線の傾きのことであり、半導体レーザ４２の劣化はこの傾きの低下として現れる。以下、駆動電流値の変化に対する光量の変化の比を傾きと呼ぶ。
【００４７】
図７は、実施の形態２に係る半導体レーザ４２の異常検出を示す説明図である。準備として、正常とされる傾きの範囲ΔＬ〜ΔＨを決めておく。ここで、Δは傾きを示す。また、閾値電流Ｉthより大きい駆動電流Ｉ１、Ｉ２を決めておく。Ｉ１、Ｉ２、ΔＬ〜ΔＨは、予め制御部２のＲＯＭに記録しておく。
傾きが正常より大きい場合も、半導体レーザ４２は異常な状態にあるため、ここではΔＨも決めておく。
【００４８】
ディスク装置１の電源がオンされた場合、制御部２は受光部４３に駆動電流Ｉ１、Ｉ２に夫々対応する光量Ｐ１、Ｐ２を測定させ、傾き（Ｐ２−Ｐ１）／（Ｉ２−Ｉ１）を算出する。算出した傾きがΔＬ〜ΔＨの範囲にある場合、半導体レーザ４２は正常であり、それ以外の場合、半導体レーザ４２は異常であると判断する。制御部２は、半導体レーザ４２が正常であると判断した場合、ディスク装置１を立ち上げる通常動作を行う。一方、制御部２は、半導体レーザ４２が異常であると判断した場合、ディスク装置１を立ち上げる通常動作に移行せず、通信部３を介して、エラー信号をディスク装置１が内蔵されたコンテンツ記録再生装置に出力する。エラー信号を受け付けた当該コンテンツ記録再生装置は、表示部にディスク装置１の修理、交換等を行うサービスステーションに連絡する必要がある旨のエラーメッセージを表示する。
【００４９】
次に、実施の形態２において制御部２が実行する処理を説明する。
図８は、実施の形態２において制御部２が実行する処理の手順を示すフローチャートである。
制御部２は、初期処理を実行する（ステップＳ８１）。この初期処理は、図６に示した処理と同じである。制御部２は、駆動電流Ｉ１で半導体レーザ４２を駆動する（ステップＳ８２）。制御部２は、駆動電流Ｉ１における光量Ｐ１を測定し、ＲＡＭに記録する（ステップＳ８３）。制御部２は、駆動電流Ｉ２で半導体レーザ４２を駆動する（ステップＳ８４）。制御部２は、駆動電流Ｉ２における光量Ｐ２を測定し、ＲＡＭに記録する（ステップＳ８５）。
【００５０】
制御部２は、ＲＯＭから駆動電流Ｉ１、Ｉ２を、ＲＡＭから光量Ｐ１、Ｐ２を読み出し、傾き（Ｐ２−Ｐ１）／（Ｉ２−Ｉ１）を算出する（ステップＳ８６）。制御部２は、ＲＯＭからΔＬ、ΔＨを読み出し、ΔＬ＜傾き＜ΔＨか否か判断する（ステップＳ８７）。制御部２は、ΔＬ＜傾き＜ΔＨであると判断した場合（ステップＳ８７：ＹＥＳ）、ディスク装置１を立ち上げる通常動作を行い（ステップＳ８８）、処理を終える。制御部２は、ΔＬ＜傾き＜ΔＨでないと判断した場合（ステップＳ８７：ＮＯ）、ディスク装置１を立ち上げる通常動作を行わずに、エラーメッセージを表示するためのエラー信号をディスク装置１が内蔵されたコンテンツ記録再生装置に出力し（ステップＳ８９）、処理を終える。
ディスク装置１からエラー信号を受け付けた当該コンテンツ記録再生装置は、その表示部にサービスステーションに連絡する必要がある旨のエラーメッセージを表示する。
【００５１】
実施の形態２に係るディスク装置１によれば、予め決めた駆動電流に対応する光量を測定し、傾きを算出する。算出した傾きが予め正常と設定した傾きの範囲から逸脱しているか否か判断することにより、半導体レーザ４２の致命的な劣化又は破損の有無がわかる。
傾きが正常範囲から逸脱した場合、ディスク装置１が内蔵されたコンテンツ記録再生装置の表示部には、サービスステーションに連絡する必要がある旨のエラーメッセージが表示されるため、ユーザにとって今後の対処法がわかりやすい。
【００５２】
実施の形態２に係るディスク装置では、傾きを算出するために、Ｐ１及びＰ２の２つの光量を測定した。しかし、光量の測定数は２つに限られるものではなく、３つ以上であってもよい。例えば、予め設定した駆動電流Ｉ１、Ｉ２、Ｉ３に夫々対応する３つの光量Ｐ１、Ｐ２、Ｐ３を測定し、最小二乗法により近似直線を求め、その近似直線の傾きを算出する。あるいは、予め設定した駆動電流Ｉ１、Ｉ２、Ｉ３に夫々対応する３つの光量Ｐ１、Ｐ２、Ｐ３を測定し、最小二乗法により近似曲線を求め、その近似曲線の式を微分し、その近似曲線の接線の傾きを算出する。光量の測定数が多いほど、半導体レーザの劣化等の判断結果の信頼性は向上する。
【００５３】
実施の形態２は以上の如き構成にしてあり、その他の構成及び作用は実施の形態１と同様であるので、対応する部分には同一の参照番号を付してその詳細な説明を省略する。
【００５４】
実施の形態３
実施の形態３は、半導体レーザ４２の寿命の残りが短くなった場合、その旨を知らせる予告メッセージを表示する形態に関する。具体的には、半導体レーザ４２の光量が実施の形態１で予め定めた正常な範囲にあるものの、光量がこの正常範囲の下限値に近い場合、ディスク装置１の交換時期が近づいている旨を表示する。また、同様に実施の形態３は、半導体レーザ４２の傾きが実施の形態２で予め定めた正常な範囲にあるものの、傾きがこの正常範囲の下限値に近い場合、ディスク装置１の交換時期が近づいている旨の予告メッセージを表示する。
【００５５】
図９は、実施の形態３に係る半導体レーザ４２の異常検出を示す説明図である。準備として、閾値電流Ｉthより大きい駆動電流Ｉ２を決めておく。また、駆動電流Ｉ２に対応して測定される光量Ｐ２の正常範囲の下限値ＰＬ２に近い所定の光量ＰＬＬ２を決めておく。光量ＰＬＬ２は、光量の正常範囲の中央値（メジアン）及び下限値ＰＬ２の間の値をとる。光量ＰＬＬ２は、光量の正常範囲の上下限値の平均値及び下限値ＰＬ２の間の値でもよい。
なお、上記の光量Ｐ２の代わりに、実施の形態１で扱ったＰ１を用いて半導体レーザ４２の異常検出を行ってもよい。ただし、半導体レーザ４２の駆動電流−光量特性から、駆動電流が大きいほど光量は大きいため、大きな駆動電流で照射されるレーザ光を利用した方が半導体レーザ４２の異常検出の精度は高くなる。
【００５６】
図１０は、実施の形態３に係る半導体レーザ４２の異常検出の他例を示す説明図である。準備として、閾値電流Ｉthより大きい駆動電流Ｉ１、Ｉ２を決めておく。また、傾きとして正常範囲の下限値ΔＬに近い所定の傾きΔＬＬを決めておく。傾きΔＬＬは、傾きの正常範囲の中央値及び下限値ΔＬの間の値をとる。傾きΔＬＬは、傾きの正常範囲の上下限値の平均値及び下限値ΔＬの間の値でもよい。
Ｉ１、Ｉ２、ＰＬ２、ＰＬＬ２、ΔＬ、ΔＬＬは、予め制御部２のＲＯＭに記録しておく。
【００５７】
ディスク装置１の電源がオンされた場合、制御部２は受光部４３に駆動電流Ｉ１、Ｉ２に夫々対応する光量Ｐ１、Ｐ２を測定させる。また、制御部２は、傾き（Ｐ２−Ｐ１）／（Ｉ２−Ｉ１）を算出する。
測定した光量Ｐ２がＰＬ２〜ＰＬＬ２の範囲にない場合、半導体レーザ４２は正常であり、それ以外の場合、半導体レーザ４２は予告が必要であると判断する。あるいは、算出した傾き（Ｐ２−Ｐ１）／（Ｉ２−Ｉ１）がΔＬ〜ΔＬＬの範囲にない場合、半導体レーザ４２は正常であり、それ以外の場合、半導体レーザ４２は予告が必要であると判断する。
【００５８】
制御部２は、半導体レーザ４２が正常であると判断した場合、ディスク装置１を立ち上げる通常動作を行う。一方、制御部２は、予告が必要であると判断した場合、通信部３を介して、予告信号をディスク装置１が内蔵されたコンテンツ記録再生装置に出力する。予告信号を受け付けた当該コンテンツ記録再生装置は、ディスク装置１の交換時期が近づいている旨の予告メッセージを表示する。
【００５９】
次に、実施の形態３において制御部２が実行する処理を説明する。
図１１は、実施の形態３において制御部２が実行する処理の手順を示すフローチャートである。
制御部２は、初期処理を実行する（ステップＳ１１１）。この初期処理は、図６に示した処理と同じである。制御部２は、駆動電流Ｉ１で半導体レーザ４２を駆動する（ステップＳ１１２）。制御部２は、駆動電流Ｉ１における光量Ｐ１を測定し、ＲＡＭに記録する（ステップＳ１１３）。制御部２は、駆動電流Ｉ２で半導体レーザ４２を駆動する（ステップＳ１１４）。制御部２は、駆動電流Ｉ２における光量Ｐ２を測定し、ＲＡＭに記録する（ステップＳ１１５）。
【００６０】
制御部２は、ＲＯＭから駆動電流Ｉ１、Ｉ２を、ＲＡＭから光量Ｐ１、Ｐ２を読み出し、傾き（Ｐ２−Ｐ１）／（Ｉ２−Ｉ１）を算出する（ステップＳ１１６）。制御部２は、ＲＯＭからＰＬ２、ＰＬＬ２、ΔＬ、ΔＬＬを読み出し、ＰＬ２＜Ｐ２＜ＰＬＬ２又はΔＬ＜傾き＜ΔＬＬか否か判断する（ステップＳ１１７）。制御部２は、ＰＬ２＜Ｐ２＜ＰＬＬ２でなく、かつΔＬ＜傾き＜ΔＬＬでないと判断した場合（ステップＳ１１７：ＮＯ）、ディスク装置１を立ち上げる通常動作を行い（ステップＳ１１８）、処理を終える。制御部２は、ＰＬ２＜Ｐ２＜ＰＬＬ２又はΔＬ＜傾き＜ΔＬＬであると判断した場合（ステップＳ１１７：ＹＥＳ）、ディスク装置１を立ち上げる通常動作を行わずに、予告メッセージを表示するための予告信号をディスク装置１が内蔵されたコンテンツ記録再生装置に出力し（ステップＳ１１９）、処理を終える。
ディスク装置１から予告信号を受け付けた当該コンテンツ記録再生装置は、その表示部にディスク装置１の交換時期が近づいている旨の予告メッセージを表示する。
【００６１】
実施の形態３に係るディスク装置１によれば、半導体レーザ４２の光量Ｐ２が正常範囲の下限値ＰＬ２に近づいている場合、ディスク装置１の交換時期が近づいている旨の予告メッセージを表示する。また、同様に傾きが正常範囲の下限値ΔＬに近づいている場合も、ディスク装置１の交換時期が近づいている旨の予告メッセージを表示する。これにより、ユーザは半導体レーザ４２の寿命が尽きる前に、サービスステーションに連絡してディスク装置１を交換することができる。
半導体レーザ４２の寿命が尽きた後に、突然ディスク装置１が駆動しないことを告げられた場合、ユーザはディスク装置１の交換が完了するまで、コンテンツデータを録画再生することができない。しかし、実施の形態３に係るディスク装置１によれば、ディスク装置１が正常に駆動する状態で、事前に予告メッセージが表示されるため、ディスク装置１に対する予測可能性が生じる。そのため、ユーザはディスク装置１を交換する計画を前もって立てることができ、快適な録画再生環境を維持することができる。
【００６２】
実施の形態３に係るディスク装置では、ＰＬ２＜Ｐ２＜ＰＬＬ２又はΔＬ＜傾き＜ΔＬＬの条件に従って、予告メッセージを表示した。予め定められたＰＬＬ２、又はΔＬＬは１つであるため、予告メッセージは１種類であった。しかし、多段階の予告メッセージを表示する形態であってもよい。
例えば、測定した光量に基づいて予告メッセージを表示する場合、ＰＬ２〜ＰＬＬ２の間に境界値ＰＬＭを設ける。光量Ｐ２がＰＬＭ〜ＰＬＬ２の間にある場合、半導体レーザの劣化が始まっている旨を表示し、光量Ｐ２がＰＬ２〜ＰＬＭの間にある場合、半導体レーザの劣化がかなり進行し、もうすぐ寿命が尽きる旨を表示する。ＰＬ２〜ＰＬＬ２の間に設ける境界値は、さらに多くしてもよい。
多段階の予告メッセージが表示されることにより、ユーザは半導体レーザの劣化状況をより細かく把握することができ、警告レベルに応じてユーザはサービスステーションへの連絡時期を選択することができる。
【００６３】
実施の形態３は以上の如き構成にしてあり、その他の構成及び作用は実施の形態１と同様であるので、対応する部分には同一の参照番号を付してその詳細な説明を省略する。
【００６４】
実施の形態４
実施の形態４は、光ピックアップ４内に、ＢＤ（Blu-ray Disc）用レーザ、ＤＶＤ（Digital Versatile Disk）用レーザ、ＣＤ（Compact Disc）用レーザ等、発生するレーザ光の波長が異なる、複数の半導体レーザが内蔵されている場合、１個の半導体レーザについてのみ、実施の形態１〜３に係る半導体レーザ４２の異常検出を行う形態に関する。
【００６５】
図１２は、実施の形態４に係る光ピックアップ４の光学系の構成例を示す説明図である。光ピックアップ４は、ＢＤ、ＤＶＤ及びＣＤについて記録再生が可能な３波長光ピックアップである。光ピックアップ４は、レーザ駆動回路４１、半導体レーザ４２、受光部４３及び対物レンズＯを含んで構成される。
【００６６】
レーザ駆動回路４１、受光部４３、対物レンズＯは、夫々３波長互換対応であり、各１個である。一方、光ピックアップ４は、独立した３個のＣＤ用レーザ４２ａ、ＤＶＤ用レーザ４２ｂ、ＢＤ用レーザ４２ｃを備えている。なお、光ピックアップ４は、１個の半導体レーザ４２からなる３波長１レーザを備えていてもよい。
【００６７】
実施の形態４に係る光ピックアップ４を搭載したディスク装置１により、実施の形態１〜３に係る半導体レーザ４２の異常検出を行う場合、半導体レーザ４２の個数だけ異常検出を繰り返すとき、それだけ時間がかかる。そこで、実施の形態４では、異常検出時間を短縮するために、ＣＤ用レーザ４２ａ、ＤＶＤ用レーザ４２ｂ、ＢＤ用レーザ４２ｃの内、１個の半導体レーザ４２についてのみ、光量測定による異常検出を行う。
【００６８】
異常検出対象の半導体レーザ４２は、毎回同一のもの（例えば、ＢＤ用レーザ４２ｃ）に特定してもよいし、ディスク装置１が駆動されるたびに変更してもよい。
後者の場合、異常検出を行った半導体レーザ４２の種類を記録する記録手段をディスク装置１に設置する。予め異常検出を行う半導体レーザ４２の順序を決めておくと共に、異常検出を行ったとき、異常検出を行った半導体レーザ４２の種類を記録手段に記録する。ディスク装置１の電源がオンされたとき、記録手段から前回に異常検出を行った半導体レーザ４２の種類を読み出し、予め決めた異常検出を行う半導体レーザ４２の順序に従って、今回異常検出を行う半導体レーザ４２を決定する。そして、決定した半導体レーザ４２の異常検出を実行する。
【００６９】
実施の形態４に係るディスク装置１によれば、ディスク装置１の電源がオンされたとき、複数の半導体レーザ４２の内、１個の半導体レーザ４２についてのみ、光量測定による異常検出が行われる。そのため、全ての半導体レーザ４２の異常検出を行う場合に比べて、より短時間でディスク装置１を立ち上げる通常動作に移行することができる。
複数の半導体レーザ４２が同時に破損する確率は低いため、１個の半導体レーザ４２についてのみ異常検出を行うことは妥当である。短時間で半導体レーザ４２の異常検出を終了させることにより、ディスク装置１の操作性を悪くすることなく、ユーザはサービスステーションに連絡する必要がある旨のエラーメッセージ又はディスク装置１の交換時期が近づいている旨の予告メッセージの提示を受けることが可能となる。
【００７０】
実施の形態４は以上の如き構成にしてあり、その他の構成及び作用は実施の形態１と同様であるので、対応する部分には同一の参照番号を付してその詳細な説明を省略する。
【００７１】
実施の形態１乃至４は、何れも本発明を実施するにあたっての具体化の一例を示したものに過ぎず、これによって本発明の技術的範囲が限定的に解釈されてはならないものである。すなわち、本発明はその精神又はその主要な特徴から逸脱することなく、様々な形で実施することができる。
【符号の説明】
【００７２】
１      ディスク装置
２      制御部
３      通信部
４      光ピックアップ
４１    レーザ駆動回路
４２    半導体レーザ
４２ａ  ＣＤ用レーザ
４２ｂ  ＤＶＤ用レーザ
４２ｃ  ＢＤ用レーザ
４３    受光部
７      放送記録部
【図１】
2011103163.tif 000003
【図２】
2011103163.tif 000004
【図３】
2011103163.tif 000005
【図４】
2011103163.tif 000006
【図５】
2011103163.tif 000007
【図６】
2011103163.tif 000008
【図７】
2011103163.tif 000009
【図８】
2011103163.tif 000010
【図９】
2011103163.tif 000011
【図１０】
2011103163.tif 000012
【図１１】
2011103163.tif 000013
【図１２】
2011103163.tif 000014